(57)【要約】【課題】見栄えよくかつ信頼性高く電子機器を保持すること。【解決手段】実施形態に係る電子機器の保持構造は、装置と、クレードルユニットと、蓋部とを備える。装置は、設置面の外側に意匠部、内側に本体部がそれぞれ配置される。クレードルユニットは、意匠部の外部において電子機器を保持する保持部を有し、保持部ごと本体部へ収納可能に設けられる。蓋部は、保持部と一体化させて意匠部に設けられ、クレードルユニットの展開時に、意匠部の幅方向に略平行な回転軸まわりに回転することによって保持部の向きを変更する。【選択図】図１
2020026242.tif 000002
【特許請求の範囲】
【請求項１】
設置面の外側に意匠部、内側に本体部がそれぞれ配置された装置と、
前記意匠部の外部において電子機器を保持する保持部を有し、前記保持部ごと前記本体部へ収納可能に設けられたクレードルユニットと、
前記保持部と一体化させて前記意匠部に設けられ、前記クレードルユニットの展開時に、前記意匠部の幅方向に略平行な回転軸まわりに回転することによって前記保持部の向きを変更する蓋部と
を備えることを特徴とする電子機器の保持構造。
【請求項２】
前記クレードルユニットは、
前記意匠部の外部へ向けて進退可能に設けられた可動ベースと、
前記可動ベースの前端部に対し設けられた前記保持部と
を有し、
前記蓋部は、
前記可動ベースが前進することによって前記保持部が前記意匠部の外部へ送り出された後、前記保持部の先端部が略鉛直上向きとなるように前記回転軸まわりに回転する
ことを特徴とする請求項１に記載の電子機器の保持構造。
【請求項３】
前記クレードルユニットは、
展開時に前記蓋部の回転により前記保持部の向きが変更された後に、前記可動ベースを後退させて前記保持部を前記意匠部へ向けて引き込む
ことを特徴とする請求項２に記載の電子機器の保持構造。
【請求項４】
前記蓋部は、
前記保持部の先端部が前記本体部から遠ざかるように前記回転軸まわりに回転する
ことを特徴とする請求項１、２または３に記載の電子機器の保持構造。
【請求項５】
少なくとも前記保持部における電子機器の有無を検知する検知部と、
前記検知部によって電子機器が有ることが検知された場合に、前記クレードルユニットの可動をロックさせるロック機構と
をさらに備えることを特徴とする請求項１〜４のいずれか一つに記載の電子機器の保持構造。
【発明の詳細な説明】
【技術分野】
【０００１】
開示の実施形態は、電子機器の保持構造に関する。
【背景技術】
【０００２】
従来、スマートフォンやタブレットといった携帯型の電子機器を車室内に取り付けて各種アプリを起動させ、たとえばカーナビゲーション装置として利用することが知られている。また、かかる場合に電子機器を保持するための保持構造が各種提案されている。
【０００３】
たとえば、特許文献１には、車両のダッシュボード上などに固定された取付ベースから延びるアーム部の先端部において、挟持部材により挟み付けることによって携帯機器を保持する自動車用携帯機器ホルダが開示されている。
【先行技術文献】
【特許文献】
【０００４】
【特許文献１】特開２０１３−２５６２４０号公報
【発明の概要】
【発明が解決しようとする課題】
【０００５】
しかしながら、上述した従来技術には、見栄えよくかつ信頼性高く電子機器を保持するうえで、さらなる改善の余地がある。
【０００６】
ここに言う見栄えよくとは、たとえば近年嗜好するユーザの多いフローティングデザインやフラットデザイン等を実現可能であることを指す。
【０００７】
また、ここに言う信頼性高くとは、たとえば事故時に搭乗者を傷つけないように内装部品形状に設けられている安全基準（たとえばＥＣＥ２１）を満たしていたり、悪路走行時のガタつきを抑えられたり、電子機器の盗難を防止できたりすることを指す。
【０００８】
なお、こうした点は、車載用に限らず、たとえばユーザの手が塞がっている状況等で、電子機器をユーザへ向けて保持する必要のあるケース全般に共通する課題である。
【０００９】
実施形態の一態様は、上記に鑑みてなされたものであって、見栄えよくかつ信頼性高く電子機器を保持することができる電子機器の保持構造を提供することを目的とする。
【課題を解決するための手段】
【００１０】
実施形態の一態様に係る電子機器の保持構造は、装置と、クレードルユニットと、蓋部とを備える。前記装置は、設置面の外側に意匠部、内側に本体部がそれぞれ配置される。前記クレードルユニットは、前記意匠部の外部において電子機器を保持する保持部を有し、前記保持部ごと前記本体部へ収納可能に設けられる。前記蓋部は、前記保持部と一体化させて前記意匠部に設けられ、前記クレードルユニットの展開時に、前記意匠部の幅方向に略平行な回転軸まわりに回転することによって前記保持部の向きを変更する。
【発明の効果】
【００１１】
実施形態の一態様によれば、見栄えよくかつ信頼性高く電子機器を保持することができる。
【図面の簡単な説明】
【００１２】
【図１】図１は、実施形態に係るスマートフォンの保持構造の概要を示すオーディオ装置の斜視模式図である。
【図２】図２は、実施形態に係るスマートフォンの保持構造の動作説明図（その１）である。
【図３】図３は、実施形態に係るスマートフォンの保持構造の動作説明図（その２）である。
【図４】図４は、実施形態に係るスマートフォンの保持構造の動作説明図（その３）である。
【図５】図５は、実施形態に係るスマートフォンの保持構造の動作説明図（その４）である。
【図６】図６は、実施形態に係るスマートフォンの保持構造の動作説明図（その５）である。
【図７】図７は、実施形態に係るスマートフォンの保持構造の動作説明図（その６）である。
【図８】図８は、実施形態に係るスマートフォンの保持構造の動作説明図（その７）である。
【図９】図９は、実施形態に係るスマートフォンの保持構造の動作説明図（その８）である。
【図１０】図１０は、実施形態に係るスマートフォンの保持構造の動作説明図（その９）である。
【図１１】図１１は、実施形態に係るスマートフォンの保持構造の動作説明図（その１０）である。
【図１２】図１２は、変形例に係るスマートフォンの保持構造の説明図（その１）である。
【図１３】図１３は、変形例に係るスマートフォンの保持構造の説明図（その２）である。
【発明を実施するための形態】
【００１３】
以下、添付図面を参照して、本願の開示する電子機器の保持構造の実施形態を詳細に説明する。なお、以下に示す実施形態によりこの発明が限定されるものではない。
【００１４】
また、以下では、電子機器がスマートフォン（以下、「スマホＳＰ」と言う）であり、かかるスマホＳＰの保持構造が車両に搭載されたオーディオ装置１０に設けられる場合を例に挙げて説明を行う。
【００１５】
また、以下の説明に用いる各図面には、説明を分かりやすくするために、鉛直上向きを正方向とするＺ軸を含む３次元の直交座標系を図示する場合がある。
【００１６】
図１は、実施形態に係るスマホＳＰの保持構造の概要を示すオーディオ装置１０の斜視模式図である。図１の上段に示すように、実施形態に係るオーディオ装置１０は、意匠部１１と、本体部１２とを備える。意匠部１１は、車室内に露出する部分であり、本体部１２は車室内に露出しない、いわゆる内機と呼ばれる部分である。すなわち、オーディオ装置１０は、設置面（たとえば、ダッシュボード）の外側に意匠部１１、内側に本体部１２がそれぞれ配置される。
【００１７】
意匠部１１は、たとえば操作ダイヤルや操作ボタンといった操作部１１ａと、ＬＣＤ（Liquid  Crystal  Display）等の表示部１１ｂと、ディスク挿入部１１ｃと、ＵＳＢ（Universal  Serial  Bus）コネクタ１１ｄと、蓋部１１ｅとを備える。
【００１８】
本体部１２は、クレードルユニット２０を備える。クレードルユニット２０は、スマホＳＰの保持構造の一例であり、保持部２１と、可動ベース２２とを備える。クレードルユニット２０は、収納式であって、収納時には本体部１２の内部に収納される。また、保持部２１は、蓋部１１ｅと一体化して設けられている。
【００１９】
そして、図１の下段に示すように、展開時には、クレードルユニット２０は、蓋部１１ｅごとＸ軸の正方向の向きに前進して保持部２１を外部に露出させるとともに、蓋部１１ｅが回転して保持部２１をＺ軸の正方向へ向けて立設させるように持ち上げる。
【００２０】
そして、保持部２１にはスマホＳＰが載置される。保持部２１は、載置部２１ａと、１対の挟持部２１ｂとを有しており、スマホＳＰは載置部２１ａに載置され、挟持部２１ｂがスマホＳＰを側方から挟み付けて支持することとなる。
【００２１】
以下、このような一連の動作や構造について、図２〜図１１を用いてより具体的に説明する。図２〜図１１は、実施形態に係るスマホＳＰの保持構造の動作説明図（その１）〜（その１０）である。なお、図２〜図７、図１０および図１１は、オーディオ装置１０をＹ軸の正方向側から視た場合の側面模式図となっている。また、図８および図９は、保持部２１がスマホＳＰを保持した状態をＸ軸の正方向側から視た場合の正面模式図となっている。
【００２２】
図２に示すように、蓋部１１ｅは、たとえばヒンジ等を用いて、可動ベース２２の前端部に対し、Ｙ軸に略平行な回転軸ａｘＲまわりに回転可能に設けられている。また、蓋部１１ｅは、本体部１２側においてクレードルユニット２０の保持部２１と接合されて一体化している。したがって、蓋部１１ｅが回転すると、一体化された保持部２１もあわせて回転することとなる。
【００２３】
また、可動ベース２２は、Ｘ軸方向に沿ってスライド可能に設けられている。そして、たとえばユーザの操作部１１ａへの操作によりクレードルユニット２０を外部へ展開する場合、図３に示すように、可動ベース２２が、蓋部１１ｅごとＸ軸の正方向へスライドして保持部２１を外部に露出させる（図中の矢印３０１参照）。
【００２４】
そして、図４に示すように、蓋部１１ｅが、回転軸ａｘＲまわりに回転して保持部２１をＺ軸の正方向へ向けて立設させるように、言い換えれば保持部２１の先端部が略鉛直方向を向くように、持ち上げる（図中の矢印４０１参照）。
【００２５】
なお、蓋部１１ｅを回転軸ａｘＲまわりに回転させるたとえばヒンジ等の回転機構は、カムやラチェット機構を用いた構造とすることで、保持部２１を角度を付けた状態で保持させることが可能となる。
【００２６】
そして、図５に示すように、ユーザにより保持部２１にスマホＳＰが置かれ、保持部２１がスマホＳＰを保持することによって、スマホＳＰが固定される。この点については、図８を用いた説明で後述する。
【００２７】
つづいて、図６に示すように、保持部２１におけるスマホＳＰの有無が検知される。実施形態に係るスマホＳＰの保持構造は、検知部２１ｃを備える。検知部２１ｃは、保持部２１におけるスマホＳＰの「有無を検知」する。検知部２１ｃは、たとえばセンサであって、光によりスマホＳＰの有無を検知してもよいし、重さによりスマホＳＰの有無を検知してもよい。
【００２８】
検知部２１ｃによる検知結果は、たとえば本体部１２に搭載された制御部１２ａに通知される。制御部１２ａは、たとえばＣＰＵ（Central  Processing  Unit）や、ＡＳＩＣ（Application  Specific  Integrated  Circuit）、ＦＰＧＡ（Field  Programmable  Gate  Array）等のコントローラである。
【００２９】
そして、制御部１２ａは、検知部２１ｃによってスマホＳＰが有ると検知された場合に、図７に示すように、可動ベース２２を後退させて、クレードルユニット２０を本体部１２側へ引き込む（図中の矢印７０１参照）。これにより、意匠部１１を支えとすることができるので、ガタつきを抑えるのに資することができる。
【００３０】
ここで、保持部２１におけるスマホＳＰの固定構造について、図８を用いて説明しておく。図８に示すように、保持部２１は、載置部２１ａへ載置されたスマホＳＰを、１対の挟持部２１ｂが側方から挟み付けることによってスマホＳＰを固定する。たとえば、１対の挟持部２１ｂは、載置部２１ａに対し、Ｙ軸方向に沿って開閉可能に、かつ、バネ等を用いて自然長から開かれた状態においては常に閉じる方向への付勢力が作用するように設けられる。ここで自然長は、たとえばスマホＳＰの幅寸法よりも短い長さである。
【００３１】
かかる閉じる方向への付勢力が作用する１対の挟持部２１ｂにより、スマホＳＰを側方から挟み付けることによって、保持部２１はスマホＳＰを強固に保持することが可能となる。
【００３２】
なお、このような付勢力に限らず、１対の挟持部２１ｂは、たとえばラチェット機構を用いた構造でスマホＳＰを側方から挟み付けることとしてもよい。
【００３３】
また、実施形態に係るスマホＳＰの保持構造では、本体部１２の内部へ収納されていた保持部２１を本体部１２の外部で展開させるので、１対の挟持部２１ｂの可動寸法を、たとえば本体部１２の幅寸法よりも大きくとることが可能となる。したがって、実施形態に係るスマホＳＰの保持構造によれば、スマホＳＰに限らず、スマホＳＰよりも大きいたとえばタブレット等も容易に保持することが可能となる。
【００３４】
なお、スマホＳＰは、このように１対の挟持部２１ｂにより側方から支持され、スマホＳＰ自体の操作部である画面や操作ボタンは開放されている状態となるので、ユーザのタッチ操作等により操作されることが可能である。
【００３５】
また、図９に示すように、１対の挟持部２１ｂのうちの少なくとも一方には、ＵＳＢコネクタ１１ｄに接続された充電ケーブルを挿通させるケーブル孔２１ｂａが形成されていてもよい。
【００３６】
これにより、スマホＳＰが保持部２１に保持された状態のまま、スマホＳＰの充電を行うことが可能となる。なお、図９には、スマホＳＰを横置きした状態を図示しているが、保持部２１に保持されるスマホＳＰの向きを限定するものではない。
【００３７】
したがって、スマホＳＰが縦置きされる場合に備えて、ケーブル孔２１ｂａが、蓋部１１ｅおよび載置部２１ａを貫通して形成されていてもよい。また、充電ケーブルを用いた充電に限らず、保持部２１がスマホＳＰへ直接接続するコネクタやアダプタを有することとし、保持部２１をいわゆるドッキングステーションとして機能させてもよい。
【００３８】
また、図９に示すように、前述の検知部２１ｃは、たとえばＵＳＢコネクタ１１ｄのＵＳＢ電圧を監視することによって、スマホＳＰが充電ケーブルを介した「ケーブル充電中であるか否か」を検知するものであってもよい。そして、かかる場合に、検知部２１ｃは検知結果を前述の制御部１２ａへ通知する。
【００３９】
制御部１２ａは、かかる検知結果としてケーブル充電中であるとの通知を受けた場合に、図１０のＭ１部に示すように、たとえば意匠部１１と蓋部１１ｅとの接点に電磁ロック１１ｆをかけて、ケーブル充電中に誤ってケーブルごとクレードルユニット２０を引き込んでしまう誤引き込みを防止するようにしてもよい。
【００４０】
また、図１１に示すように、実施形態に係るスマホＳＰの保持構造は、スマホＳＰごと蓋部１１ｅを回転させてスマホＳＰごとクレードルユニット２０を本体部１２へ収納可能なほど可動ベース２２のストローク長を大きくとれるようであれば、そのようにスマホＳＰごとクレードルユニット２０を収納してもよい（図中の矢印１１０１，１１０２参照）。
【００４１】
そして、かかる場合に、制御部１２ａは、収納されたクレードルユニット２０にスマホＳＰが有るとの検知結果が検知部２１ｃから通知されたならば、図１１のＭ２部に示すように、意匠部１１と蓋部１１ｅとの接点に電磁ロック１１ｆをかけて、スマホＳＰの盗難を防止するようにしてもよい。これにより、信頼性高くスマホＳＰを保持することができる。
【００４２】
また、本体部１２の内部にワイヤレス充電器１２ｂを設けることとしたうえで、かかるスマホＳＰごとクレードルユニット２０が本体部１２の内部へ収納されたならば、自動的にスマホＳＰに対しワイヤレス充電を行うこととしてもよい。
【００４３】
なお、これまで説明した一連の動作のうち、たとえば手動で置換可能な動作はすべて手動で行われてもよい。また、すべての動作が電動で行われてもよい。また、手動および電動の組み合わせで行われてもよい。
【００４４】
また、制御部１２ａは、たとえばＣＡＮ（Controller  Area  Network）等の車載ネットワークを介して車両の走行状況等に関する情報である各種の車両情報を随時取得可能に設けることができる。
【００４５】
かかる場合、制御部１２ａは、取得する車両情報とスマホＳＰの有無とに応じて、たとえばスマホＳＰの機能を制限したり、前述の電磁ロック１１ｆを制御したりすることが可能となる。
【００４６】
具体的には、制御部１２ａは、展開中の保持部２１にスマホＳＰが有る場合に、たとえば車両が所定速以上になったことや、悪路に進入したこと等を車両情報から判定したならば、前述の電磁ロック１１ｆをかける制御を行うようにしてもよい。
【００４７】
また、制御部１２ａは、展開中の保持部２１にスマホＳＰが有る場合に、スマホＳＰとたとえば近距離無線通信によるペアリングを確立し、たとえば車両が所定速以上になったならば、近距離無線通信を介し、スマホＳＰで起動中のアプリに機能制限をかけるようにしてもよい。
【００４８】
これにより、たとえば車両を運転中のユーザによるスマホＳＰのながら操作を防止し、安全性を高めるのに資することができる。
【００４９】
また、制御部１２ａは、展開中の保持部２１にスマホＳＰが有る場合に、たとえば車両のイグニッション電源がオフされたことを車両情報から判定したならば、自動的にクレードルユニット２０を本体部１２へ収納し、電磁ロック１１ｆをかけるようにしてもよい。
【００５０】
（変形例）
ところで、これまでは、蓋部１１ｅが保持部２１と一体化しており、蓋部１１ｅの回転によって保持部２１を持ち上げる例を挙げたが、蓋部１１ｅと保持部２１とを一体化しなくともよい。かかる変形例について、図１２および図１３を用いて説明する。図１２および図１３は、変形例に係るスマートフォンの保持構造の説明図（その１）および（その２）である。
【００５１】
図１２に示すように、変形例に係るスマホＳＰの保持構造では、蓋部１１ｅは保持部２１と別体であり、回転軸ａｘＲ１まわりに回転することで開閉可能に設けられる。また、保持部２１は、可動ベース２２に対し、回転軸ａｘＲ２まわりに回転可能に設けられる。
【００５２】
そして、蓋部１１ｅは、クレードルユニット２０の展開に際して開かれた後、本体部１２の内部へ収納される（図中の矢印１２０１，１２０２参照）。
【００５３】
そのうえで、図１３に示すように、保持部２１は、可動ベース２２がスライドすることによって全体が本体部１２の外部へ露出した後、その先端部（回転軸ａｘＲ２側を基端部とした場合の遠端部）が本体部１２から遠ざかるように、図１３の例で言えば、反時計回りに回転して持ち上がるように設けられる（図中の矢印１３０１，１３０２参照）。
【００５４】
保持部２１を持ち上げてからは、上述した実施形態に係るスマホＳＰの保持構造と同様の動作となる。このように、蓋部１１ｅと保持部２１とを一体化しないで、上述した実施形態の場合と同様の動作をクレードルユニット２０に行わせることはできる。ただし、上述した実施形態の方が、蓋部１１ｅを収納する機構を設ける必要がない分、低コスト化に資することができる。
【００５５】
上述してきたように、実施形態に係るスマホＳＰ（「電子機器」の一例に相当）の保持構造は、オーディオ装置１０（「装置」の一例に相当）と、クレードルユニット２０と、蓋部１１ｅとを備える。オーディオ装置１０は、ダッシュボード（「設置面」の一例に相当）の外側に意匠部１１、内側に本体部１２がそれぞれ配置される。クレードルユニット２０は、意匠部１１の外部においてスマホＳＰを保持する保持部２１を有し、保持部２１ごと本体部１２へ収納可能に設けられる。蓋部１１ｅは、保持部２１と一体化させて意匠部１１に設けられ、クレードルユニット２０の展開時に、意匠部１１の幅方向に略平行な回転軸ａｘＲまわりに回転することによって保持部２１の向きを変更する。
【００５６】
したがって、実施形態に係るスマホＳＰの保持構造によれば、見栄えよくかつ信頼性高く電子機器を保持することができる。
【００５７】
また、クレードルユニット２０は、意匠部１１の外部へ向けて進退可能に設けられた可動ベース２２と、可動ベース２２の前端部に対し設けられた保持部２１とを有し、蓋部１１ｅは、可動ベース２２が前進することによって保持部２１が意匠部１１の外部へ送り出された後、保持部２１の先端部が略鉛直上向きとなるように回転軸ａｘＲまわりに回転する。
【００５８】
したがって、実施形態に係るスマホＳＰの保持構造によれば、クレードルユニット２０を省スペースでコンパクトに見栄えよく収納することができるとともに、コンパクトに収納されていたクレードルユニット２０を展開して、保持部２１を視認性のよい向きへ向けることができる。
【００５９】
また、クレードルユニット２０は、展開時に蓋部１１ｅの回転により保持部２１の向きが変更された後に、可動ベース２２を後退させて保持部２１を意匠部１１へ向けて引き込む。
【００６０】
したがって、実施形態に係るスマホＳＰの保持構造によれば、保持部２１を意匠部１１へ当接させて、意匠部１１に保持部２１を支持させることができる。すなわち、ガタつきを抑えられるので、信頼性高くスマホＳＰを保持することができる。
【００６１】
また、蓋部１１ｅは、保持部２１の先端部が本体部１２から遠ざかるように回転軸ａｘＲまわりに回転する。
【００６２】
したがって、実施形態に係るスマホＳＰの保持構造によれば、ユーザに近い位置でスマホＳＰを保持させることができるので、視認性および操作性を高めることができる。
【００６３】
また、実施形態に係るスマホＳＰの保持構造は、検知部２１ｃと、電磁ロック１１ｆ（「ロック機構」の一例に相当）とをさらに備える。検知部２１ｃは、少なくとも保持部２１におけるスマホＳＰの有無を検知する。電磁ロック１１ｆは、検知部２１ｃによってスマホＳＰが有ることが検知された場合に、クレードルユニット２０の可動をロックさせる。
【００６４】
したがって、実施形態に係るスマホＳＰの保持構造によれば、少なくとも保持部２１にスマホＳＰが有り、ケーブルの巻き込みや、誤引き込み等が生じうる場合において、クレードルユニット２０の可動をロックさせることで、安全性や信頼性を高めることができる。
【００６５】
なお、上述した実施形態では、可動ベース２２がスライド可能であることとしたが、構造を限定するものではなく、たとえば伸縮することによって進退可能な構造であってもよい。
【００６６】
また、上述した実施形態では、保持部２１が、１対の挟持部２１ｂによりスマホＳＰを側方から挟み付けることとしたが、構造を限定するものではなく、たとえば保持部２１がポケット状に形成され、スマホＳＰを挿し込むことによって保持する構造であってもよい。なお、かかる場合、スマホＳＰの画面を露出させる形状であってもよい。
【００６７】
また、上述した実施形態では、スマホＳＰの保持構造が車両に搭載されたオーディオ装置１０に設けられる場合を例に挙げたが、オーディオ装置１０に限らず、車両に搭載された他の装置であってもよい。また、車両に搭載された装置に限らなくともよい。
【００６８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６９】
１０    オーディオ装置
１１    意匠部
１１ｅ  蓋部
１１ｆ  電磁ロック
１２    本体部
１２ａ  制御部
１２ｂ  ワイヤレス充電器
２０    クレードルユニット
２１    保持部
２１ｃ  検知部
２２    可動ベース
ＳＰ    スマホ
ａｘＲ，ａｘＲ１，ａｘＲ２  回転軸
【図１】
2020026242.tif 000003
【図２】
2020026242.tif 000004
【図３】
2020026242.tif 000005
【図４】
2020026242.tif 000006
【図５】
2020026242.tif 000007
【図６】
2020026242.tif 000008
【図７】
2020026242.tif 000009
【図８】
2020026242.tif 000010
【図９】
2020026242.tif 000011
【図１０】
2020026242.tif 000012
【図１１】
2020026242.tif 000013
【図１２】
2020026242.tif 000014
【図１３】
2020026242.tif 000015